(57)【要約】【課題】穀稈案内板の側辺での摩擦抵抗が減少して、穀稈の引っ掛かりや折れ等の発生を軽減することができ、搬送姿勢が乱れることなくスムーズに穀稈供給口に穀稈を安定して搬送する。【解決手段】脱穀部５の穀稈供給口９１ａの前側と、刈取部４から脱穀部５へ搬送する穀稈搬送装置５５の後部との間に配設される可撓性素材より構成されるコンバイン１の穀稈案内板１０２において、前記穀稈案内板１０２の搬送上流側側辺１０２ｄに、表面が滑らかな硬質部材からなる案内体１０３を付設した。該案内体１０３が板状の硬質部材で形成され断面視略「コ」字状または略「Ｖ」字状に折り曲げて穀稈案内板１０２の側辺１０２ｄを被覆固定した。または、前記案内体１０３を、硬質合成樹脂を帯板状に形成し、穀稈案内板１０２の側辺１０２ｄに一体的に固定した。【選択図】図４
2009219450.tif 000002
【特許請求の範囲】
【請求項１】
脱穀部の穀稈供給口の前側と、刈取部から脱穀部へ搬送する穀稈搬送装置の後部との間に配設される可撓性素材より構成されるコンバインの穀稈案内板において、
前記穀稈案内板の搬送上流側側辺に、表面が滑らかな硬質部材からなる案内体を付設したことを特徴とするコンバインの穀稈案内板。
【請求項２】
前記案内体は、板状の硬質部材を断面視略「コ」字状または略「Ｖ」字状に折り曲げて穀稈案内板の側辺を被覆固定したことを特徴とする請求項１に記載のコンバインの穀稈案内板。
【請求項３】
前記案内体は、硬質合成樹脂を帯板状に形成し、穀稈案内板の側辺に一体的に固定したことを特徴とする請求項１に記載のコンバインの穀稈案内板。
【発明の詳細な説明】
【技術分野】
【０００１】
本発明は、コンバインの穀稈搬送の技術、特に搬送穀稈が受継される穀稈案内板の技術に関する。
【背景技術】
【０００２】
従来、コンバインは、刈取部、脱穀部、走行部等で構成され、そのなかでも刈取部は分草体、引起装置、掻込装置、刈刃装置、搬送装置等で構成されている。詳しくは、未刈穀稈からの穀稈の分離や穀稈の一条ごとの分離を行う分草体、分草後の穀稈を起立させる引起装置、引起後の穀稈の株元側を掻き込む掻込装置、掻込時に穀稈の株元を切断する刈刃装置、切断後の刈取穀稈を垂直状態から水平状態に姿勢変更させながら脱穀部まで搬送する搬送装置等で構成されている。
搬送装置の搬送下流端において穀稈の株元側は脱穀部のフィードチェンに受継され、穀稈の穂先は扱室の供給口へ導かれる。該供給口では、穀粒が飛散されることが多く、この箇所には穀稈の受継を容易にする供給漏斗が設けられ、搬送装置の上下動に追随し該搬送装置と供給漏斗の間隙を閉鎖するゴム等で構成された穀稈案内板が設けられている。
【０００３】
例えば、特許文献１に示すように、該記案内板が上向き「コ」字状に形成され、穂先搬送装置（搬送装置）のチェンケース終端部下側（下流端下側）に取付けられる取付板と、この取付板に添って断面「コ」字状に折曲げ形成され、さらに一方の立縁が下方へ折返した折曲げ部によって二重に形成された可撓性素材からなる案内板本体とによって構成されているコンバインの穀稈案内板の技術が公知となっている。
【０００４】
また、特許文献２に示すように、供給搬送装置（補助搬送装置）に扱ぎ深さ調節用の回動自在の穀稈搬送用の根元チェンと該チェンをガイドするチェンレールと該チェンレールに設けたステーと該ステーに取り付けたカバーと該カバーに取り付けたゴム製の入口漏斗（案内体）を配設し、供給搬送装置から脱穀装置へ穀稈をスムーズに供給する構成となっているコンバインの穀稈案内板の技術が公知となっている。
【特許文献１】実公昭６０−３７０９号公報
【特許文献２】特開２００２−３０５９３８号公報
【発明の開示】
【発明が解決しようとする課題】
【０００５】
従来のコンバインの穀稈案内板においては、刈取作業中において、刈取後に搬送装置によって搬送された穀稈が穀稈案内板に位置したときに、穀稈の株元側がゴム製の穀稈案内板側辺に当接しそのときの摩擦抵抗により、穀稈の姿勢の乱れ、停滞、節折れが発生し、扱残しの増加となっていた。また、使用状況により穀稈案内板の端面が波打つと更に抵抗が増加し、正確に扱室の供給口へ穀稈を搬送することが難しくなる場合があった。
【０００６】
本発明は以上の状況に鑑み、穀稈案内板の側辺での摩擦抵抗が減少して、穀稈の引っ掛かりや折れ等の発生を軽減することができ、搬送姿勢が乱れることなくスムーズに穀稈供給口に穀稈を安定して搬送することができるコンバインの穀稈案内板を提供することを目的とする。
【課題を解決するための手段】
【０００７】
本発明の解決しようとする課題は以上の如くであり、次にこの課題を解決するための手段を説明する。
【０００８】
即ち、請求項１においては、脱穀部の穀稈供給口の前側と、刈取部から脱穀部へ搬送する穀稈搬送装置の後部との間に配設される可撓性素材より構成されるコンバインの穀稈案内板において、前記穀稈案内板の搬送上流側側辺に、表面が滑らかな硬質部材からなる案内体を付設したものである。
【０００９】
請求項２においては、前記案内体は、板状の硬質部材を断面視略「コ」字状または略「Ｖ」字状に折り曲げて穀稈案内板の側辺を被覆固定したものである。
【００１０】
請求項３においては、前記案内体は、硬質合成樹脂を帯板状に形成し、穀稈案内板の側辺に一体的に固定したものである。
【発明の効果】
【００１１】
本発明の効果として、以下に示すような効果を奏する。
【００１２】
請求項１においては、ゴム等の可撓性素材で構成した穀稈案内板の側辺での摩擦抵抗が減少して、穀稈の引っ掛かりや折れ等の発生を軽減することができ、搬送姿勢が乱れることなくスムーズに穀稈供給口に穀稈を安定して搬送することができる。また、穀稈案内板の側辺だけが硬質化され、その他の部分は柔軟性が保たれるため、刈取部の昇降や搬送装置の昇降等が行われても穀稈案内板による案内を阻害されることがない。そして、縁の剛性が向上し、耐摩耗性も向上でき、波打ちも防止できる。
【００１３】
請求項２においては、板状の硬質部材を折り曲げるだけで容易に案内体を構成することができる。また、硬質部材の案内体を安価に得ることができる。
【００１４】
請求項３においては、案内体は安価に得ることができ、射出成形等で容易に得られる。
【発明を実施するための最良の形態】
【００１５】
次に、発明の実施の形態を説明する。
図１は本発明の一実施例に係るコンバインの全体的な構成を示した側面図、図２は刈取部の構成を示す概略側面図、図３は同じく概略平面図、図４は穀稈案内板付近の構造を示す概略図、図５は穀稈案内板の構成を示す平面図、図６は本発明の実施例１に係る穀稈案内板及び案内体の構成を示す概略図、図７は本発明の実施例２に係る穀稈案内板及び案内体の構成を示す概略図、図８は本発明の実施例３に係る穀稈案内板及び案内体の構成を示す概略図である。
なお、以下コンバインの進行方向は図１中の矢印Ａを前方向とし、前後左右方向を決定する。
【００１６】
まず、本発明の一実施例に係るコンバインの全体構成について説明する。
【００１７】
図１に示すように、コンバイン１は機体フレーム２を走行部であるクローラ式走行装置３で支持し、該クローラ式走行装置３を機体フレーム２上に搭載したエンジンで駆動させることにより、前進または後進走行可能に構成されている。そして、コンバイン１では、機体フレーム２の前部に穀稈を刈取って機体後方へ搬送する刈取部４が設けられ、機体フレーム２の左側前後中途部に刈取部４からの刈取穀稈を脱穀する脱穀部５と、該脱穀部５で脱穀された穀粒を選別する選別部６とが配設されている。機体フレーム２の後部には、脱穀部５で脱穀された穀稈を切断したりそのまま排藁として機外へ排出したりする排藁処理部７が設けられている。
【００１８】
また、前記機体フレーム２の右側後部に選別部６から揚穀筒で搬送される穀粒を貯留するグレンタンク８が設けられ、該グレンタンク８の後方から上方にかけてグレンタンク８内の穀粒を機体外部に排出する排出オーガ９が配設されている。前記グレンタンク８の前方で機体フレーム２の右側前部には操向ハンドル１１や種々の操作レバー等の操作装置や、運転席１２等を備える運転操作部１５が設けられ、該運転操作部１５の下方にトランスミッションやエンジンが配設されている。
【００１９】
次に、刈取部４の構成について説明する。なお、本実施例では四条刈用のコンバインについて説明するが、コンバインの刈取条数は本実施例に限定するものではない。
【００２０】
刈取部４は、機体の左右一側、本実施例では左側に支軸２１を中心として側方回動可能に構成されており、図２及び図３に示すように、その支軸２１は機体フレーム２の前部左側に立設されている。支軸２１の上端部には筒形の基部を被嵌して、パイプ保持部材２２が回動可能に支持されている。パイプ保持部材２２は半割筒形状の上下のパイプ保持部２２ａ・２２ｂを備え、下パイプ保持部２２ｂを基部から半径方向に突出して、該下パイプ保持部２２ｂに上パイプ保持部２２ａをボルトで固定し、両パイプ保持部２２ａ・２２ｂの間に刈取入力パイプ２３の左端側を挿通して挟持できるように構成されている。
【００２１】
また、支軸２１の右側において、機体フレーム２に刈取支持台２５が支軸２１と対向するように立設されて、該刈取支持台２５上にパイプ受部材２６が設けられている。パイプ受部材２６は、半割筒形状の上下のパイプ受部（図示省略）を備え、下パイプ受部を刈取支持台２５にボルトで締結し、該下パイプ受部に上パイプ受部を左右方向に延びるボルト軸２７を介して上下回動可能に取り付けて、両パイプ受部の間に刈取入力パイプ２３の右端側を配置して挟持できるように構成されている。
【００２２】
このようにして、刈取部４は刈取入力パイプ２３や、縦伝動パイプ３３や、横伝動パイプ３８等の各パイプを刈取フレームとして一体的に形成し、この刈取フレームに次のように未刈穀稈からの穀稈の分離や穀稈の一条ごとの分離を行う分草体５１、分草後の穀稈を起立させる引起装置５２、引起後の穀稈の株元側を掻き込む掻込装置５３、掻込時に穀稈の株元を切断する刈刃装置５４、切断後の刈取穀稈を脱穀部５まで搬送する穀稈搬送装置５５等を組み付けることで構成されている。
【００２３】
前記刈取部４の刈取フレームにおいては、その前部に分草体５１と、引起ケース６１に駆動スプロケットにて駆動可能とされるタイン付きのチェン６２等により構成されている引起装置５２が配設されている。分草体５１は各分草フレーム３９の先端部に突設されている。
引起装置５２は分草体５１よりも後方で、引起ケース６１の上部を引起駆動ケース４２に取り付け、下部を分草フレーム３９の前後中途部に立設された分岐フレーム６３に固定することで支持されている。
【００２４】
引起装置５２の後方には、スターホイル６４や掻込ベルト６５等により構成されている掻込装置５３が配設され、該掻込装置５３の下方に刈刃６６等により構成されている刈刃装置５４が配設されている。掻込装置５３は横伝動パイプ３８に立設された支持フレーム６７に支持され、刈刃装置５４は分草フレーム３９の下側に固設されている。そして、掻込装置５３および刈刃装置５４の後上方に穀稈搬送装置５５が配設されている。
【００２５】
穀稈搬送装置５５は、右二条分の刈取穀稈を左斜後方搬送する右下部搬送装置７１と、左二条分の刈取穀稈を右斜後方へ搬送してその株元部を右下部搬送装置７１の搬送終端付近に合流させる左下部搬送装置７２と、四条分の刈取穀稈の穂先部を寄せ集めながら左斜後方に搬送する上部搬送装置７３と、右下部搬送装置７１の搬送終端付近にて合流した四条分の刈取穀稈の株元部を脱穀部５のフィードチェン９０へ向けて後斜上方に搬送する縦搬送装置７４と、該縦搬送装置７４とフィードチェン９０との間で刈取穀稈の株元部側の搬送を中継する補助搬送装置７５とで構成されている。
【００２６】
右下部搬送装置７１と左下部搬送装置７２とは掻込装置５３の後方に配設され、上部搬送装置７３は右下部搬送装置７１の上方から両下部搬送装置７１・７２の後上方にわたって配設されている。縦搬送装置７４は左下部搬送装置７２の後方で、上部搬送装置７３の下方に配設されている。そして、補助搬送装置７５が側面視で上部搬送装置７３の後端部と縦搬送装置７４の後端部との間に上下から挟まれて、その位置が上から順に上部搬送装置７３、補助搬送装置７５、縦搬送装置７４となるように配設されている。
【００２７】
補助搬送装置７５は縦搬送装置７４の後端部とフィードチェン９０の前端部の右側方で、縦搬送装置７４の搬送終端部がフィードチェン９０の搬送始端部（前端部）に近接するように配置されて、縦搬送装置７４にて横倒しの姿勢で搬送されてくる四条分の刈取穀稈の株元部をフィードチェン９０の始端部に受け渡すことができるようになっている。そして、このように構成される穀稈搬送装置５５からフィードチェン９０に受継がれた刈取穀稈は、当該フィードチェン９０及び穀稈押え部９５に挟まれる形で機体後方へ搬送されながら脱穀部５の扱室９１内に備えられた扱胴９２にて脱穀処理されるようになっている。ここで、前記穀稈押え部９５は、スプリングの力で穀稈搬送流量の変化及び穀稈の引抜き防止に対応するよう構成されている。
【００２８】
なお、該縦搬送装置７４は、前方を支点として左右方向に回動し、フィードチェン９０への株元部の受継ぎ位置を調整することによって、脱穀部５へ搬送される穀稈の扱深さを変更可能としている。
【００２９】
前記刈取部４では、刈取入力パイプ２３内の刈取入力軸に伝達された動力は、縦伝動パイプ３３内の縦伝動軸に伝達され、ついで縦伝動軸から横伝動パイプ３８内の横伝動軸に伝達されるように構成されている。そして、この横伝動軸から引起装置５２と、掻込装置５３と、刈刃装置５４と、穀稈搬送装置５５のうちの右下部搬送装置７１および左下部搬送装置７２とに動力が伝達されて、各装置が駆動されるようになっている。
【００３０】
刈取入力パイプ２３内の刈取入力軸から縦伝動パイプ３３内の縦伝動軸に伝達された動力は、当該縦伝動軸の中途部に設けられたベベルギヤ機構により分岐され、その一部が前方斜上向きに延びる縦搬送駆動軸７８に伝達されるように構成されている。この縦搬送駆動軸７８から縦搬送装置７４に動力が伝達されて、縦搬送装置７４が駆動されるようになっている。
【００３１】
また、刈取入力軸に伝達された動力は、当該刈取入力軸の中途部に設けられたベベルギヤ機構により分岐され、その一部が右斜上向きに延びる搬送駆動軸７９に伝達されるように構成されている。そして、この搬送駆動軸７９から上部搬送装置７３と、補助搬送装置７５とに動力が伝達されて、上部搬送装置７３と補助搬送装置７５とが駆動されるようになっている。
【００３２】
また、刈取部４において、フィードチェン９０側（左側）に位置した引起縦伝動パイプ４０の上下中途部には、丸パイプ製の支持フレーム８１の前端部が取り付けられている。支持フレーム８１は、側面視で上向き凸状に湾曲または屈曲した状態に形成され、引起縦伝動パイプ４０から後方へ向かって補助搬送装置７５の左側方付近まで延出されて、その後端部がフィードチェン９０の前方で、且つ、補助搬送装置７５よりも上方に位置するように配置されている。
【００３３】
支持フレーム８１の後端部には、挟持ガイド部材８２が補助搬送装置７５の搬送側と対向するように吊支されて、この挟持ガイド部材８２と補助搬送装置７５とで刈取穀稈の株元部を挟持することができるように構成されている。また、株元をガイドする穀稈案内板１０２及び穂先をガイドする穂先穀稈案内板１０８は補助搬送装置７５後端側から穀稈供給口９１ａの手前付近にかけて配設されている。
【００３４】
また、穀稈案内板１０２は板状のゴム等の可撓性素材から構成される。図４及び図５に示すように、前端側を補助搬送装置７５の上面側に配置された補助搬送装置カバー７５ａ上部後端側と穀稈案内板１０２の左前端部１０２ａがボルト等の締結具で締結され、補助搬送装置７５に取り付けられている。同様に、上部搬送装置７３の上部後端側と穀稈案内板１０２の右前端部１０２ｂがボルト等の締結具で締結され、上部搬送装置７３に取り付けられている。そして、穀稈案内板１０２は補助搬送装置７５及び上部搬送装置７３の後端側から後方へ広がるように延出されて、後部が脱穀部５の扱室９１前方で穂先穀稈案内板１０８の左側部が上方から重複するように載置されている。
【００３５】
穂先穀稈案内板１０８は穀稈案内板１０２と同様に板状のゴム等の可撓性素材から構成され、前端側を上部搬送装置７３の上面側に配置された上部搬送装置カバー７３ａの後端部に締結具にて締結することで、上部搬送装置７３に取り付けられている。そして、上部搬送装置７３の後端部から後方へ向かって延出されて、周りの部材に当接し変形されながら後端側が脱穀部５の扱室９１の前側に形成された穀稈供給口９１ａの手前付近に位置するように配置されている。こうして、穂先穀稈案内板１０８は穀稈案内板１０２の上部に平面視で重複して配置される。
【００３６】
穀稈をガイドする穂先穀稈案内板１０８と穀稈案内板１０２を別体として構成しているが一体的に構成してもよく限定するものではない。
【００３７】
前記までは、コンバイン１の基本構成、及び穀稈の刈取、搬送の方法であり、後述する各実施例において共通である。
次に、本発明の特徴である案内体１０３について、各実施例にて詳細に説明する。
【実施例１】
【００３８】
図４及び図５に示すように、前記穀稈案内板１０２の左側の側辺１０２ｄは、平面視「へ」字状に形成されて、搬送上流側側辺の角度は補助搬送装置７５の搬送方向と合わせ、搬送下流側側辺の角度はフィードチェン９０の搬送方向と合わせて構成されている。そして、前記穀稈案内板１０２の側辺１０２ｄの搬送上流側側辺には、表面が滑らかな金属や合成樹脂等の硬質部材からなる案内体１０３がその側辺形状に合わせて付設されている。
【００３９】
実施例１の案内体１０３は、図６に示すように、略搬送上流側側辺の長さに合わせた硬質部材である金属板等が折り曲げられて、または、合成樹脂が射出成形され、断面視略「コ」字状または略「Ｖ」字状に形成されている。この案内体１０３により、穀稈案内板１０２の側辺１０２ｄの搬送上流側端部が被覆固定される。穀稈案内板１０２の側辺１０２ｄ近傍には複数箇所ボルト孔１０２ｇが開口されている。また、案内体１０３下部側には、固定する際の前記ボルト孔１０２ｇに合せて複数箇所にボルト孔１０３ｄが開口されている。
また、案内体１０３が被覆される箇所を上下肉薄化して案内体１０３と穀稈案内板１０２の表面に段差ができないようにし、側辺１０２ｄを含むその近傍が案内体１０３によって挟み込まれ、穀稈案内板１０２下部側よりボルト孔１０３ｄにボルト２００等で螺設され固定される。但し、案内体１０３の固定方法は限定するものではなく、接着やかしめ等で固定することもできる。
【００４０】
このような構成により、ゴム等の可撓性素材で構成した穀稈案内板１０２の側辺１０２ｄの搬送上流側側辺での摩擦抵抗を、案内体１０３を付設することで減少することができる。よって、従来の側辺１０２ｄの搬送上流側側辺での摩擦抵抗による穀稈の引っ掛かりによる搬送姿勢の乱れ、停滞、節折れ等の発生を軽減することができ、穀稈搬送姿勢がスムーズに安定して穀稈供給口９１ａに穀稈を搬送させることができる。また、穀稈案内板１０２の側辺だけが硬質化され、その他の部分は可撓性素材（柔軟性）が保たれるため、刈取部４の昇降や穀稈搬送装置５５の昇降等が行われても穀稈案内板１０２による案内が阻害されることがなく、補助搬送装置７５とフィードチェン９０との間隙を柔軟に塞ぎ、刈取穀稈が落下するのを防止することができる。そして、案内体１０３を付設することで側辺１０２ｄの剛性が向上し、耐摩耗性も向上でき、余分な抵抗によりもたらされる穀稈案内板１０２全体の波打ち及び皺の形成も防止できる。
【００４１】
また、金属板等を折り曲げるだけ、または合成樹脂等の射出成形により容易に案内体１０３を構成することができ、硬質部材の案内体を安価に得ることができる。
【実施例２】
【００４２】
実施例２の案内体１０３は、硬質合成樹脂性を帯板状に形成して穀稈案内板１０２の側辺１０２ｄの搬送上流側側辺に一体的に固定しても構わない。
つまり、図７に示すように、穀稈案内板１０２の側辺１０２ｄの搬送上流側端部に長手方向に沿って溝部１０２ｅが形成されている。該溝部１０２ｅが形成された上下部側の複数箇所に開口部１０２ｈ・１０２ｉが開口されている。一方、帯板状に形成された案内体１０３の穀稈案内板１０２側端部には前記溝部１０２ｅに係合するように、突起部１０３ａが形成される。
該突起部１０３ａの上下部の上面および下面には固定する際に前記開口部１０２ｈ・１０２ｉに合せた複数箇所に円柱状の係合部１０３ｅ・１０３ｆが配設されている。また、案内体１０３の他端（外側面）１０３ｂは、断面上部を円弧状とする滑らかな摺接面として形成される。そして、開口部１０２ｈ・１０２ｉと係合部１０３ｅ・１０３ｆがそれぞれ嵌合され、前記溝部１０２ｅと突起部１０３ａが嵌合されることによって、穀稈案内板１０２と案内体１０３が固定される。なお、案内体１０３と穀稈案内板１０２の表面には前記同様に段差ができないようにし、また、固定方法、も限定するものではなく、係合部１０３ｅ・１０３ｆ及び嵌合される開口部１０２ｈ・１０２ｉは上部若しくは下部の一側だけでもよく、限定するものではない。
【実施例３】
【００４３】
また、実施例３の案内体１０３は図８に示すように、穀稈案内板１０２の側辺１０２ｄの搬送上流側側辺近傍には二段の階段状に形成した段差面１０２ｆが形成される。該段差面１０２ｆ下部側には複数箇所にボルト孔１０２ｇが開口されている。
一方、帯板状に形成された案内体１０３は穀稈案内板１０２側を前記二段の階段状に係合するように、側辺１０２ｄの上下逆である段差面１０３ｃが形成される。
該段差面１０２ｃ上部側には固定する際の前記ボルト孔１０２ｇに合せて複数箇所にボルト孔１０３ｄが開口されている。
【００４４】
案内体１０３の他端１０３ｂは、断面上部を円弧状とする摺接面として形成される。そして、前記段差面１０２ｆ・１０３ｃを係合させ、係合された箇所を穀稈案内板１０２下部よりボルト孔１０２ｇ・１０３ｄにボルト２００で螺設されることによって、穀稈案内板１０２と案内体１０３が固定される。なお、案内体１０３と穀稈案内板１０２の表面には前記同様に段差ができないようにし、また、固定方法、も限定するものではない。
【００４５】
実施例２及び実施例３の構成により、案内体１０３は硬質合成樹脂によって形成されているため、安価に得ることができ、射出成形等で容易に形成されることができる。
また従来、穀稈が当接し無理な圧力が掛かる角がある側辺１０２ｄが、円弧状の摺接面として形成されているため、無理な当接圧力が減少し、それに伴い穀稈の節折れ等を軽減することができる。
【図面の簡単な説明】
【００４６】
【図１】本発明の一実施例に係るコンバインの全体的な構成を示した側面図。
【図２】刈取部の構成を示す概略側面図。
【図３】同じく概略平面図。
【図４】穀稈案内板付近の構造を示す概略図。
【図５】穀稈案内板の構成を示す平面図。
【図６】本発明の実施例１に係る穀稈案内板及び案内体の構成を示す概略図。
【図７】本発明の実施例２に係る穀稈案内板及び案内体の構成を示す概略図。
【図８】本発明の実施例３に係る穀稈案内板及び案内体の構成を示す概略図。
【符号の説明】
【００４７】
１      コンバイン
４      刈取部
５      脱穀部
５４    刈刃装置
５５    穀稈搬送装置
７４    縦搬送装置
７５    補助搬送装置
９０    フィードチェン
１０２  穀稈案内板
１０３  案内体
１０８  穂先穀稈案内板
【図１】
2009219450.tif 000003
【図２】
2009219450.tif 000004
【図３】
2009219450.tif 000005
【図４】
2009219450.tif 000006
【図５】
2009219450.tif 000007
【図６】
2009219450.tif 000008
【図７】
2009219450.tif 000009
【図８】
2009219450.tif 000010